(57)【要約】【課題】  湯水の流量と温度とがレバーの操作で調節される混合水栓において、スライダーガイドの摺動性を向上させ、レバーの操作時に異音が発生しないようにする。【解決手段】  給水孔２０，給湯孔２１を備えた固定板１８と、混合室２７が形成された可動板１９とからなる弁機構４がケース３の内部に内装され、前記可動板１９にはスライダー３０が嵌合され、スライダー３０の他端にはケース３の内部に収容されるスライダーガイド３３内で回転するアーム３２が係合され、このアーム３２の他端に連繋したレバー７の操作により、スライダー３０及びスライダーガイド３３がケース３の内部を摺動すると共に、可動板１９が固定板１８上で摺動されて湯水の流量と温度とが調節される混合水栓Ａにおいて、前記ケース３とスライダー３０、又はスライダーガイド３３の一方をポリアセタール樹脂により形成し、他方をポリブチレン樹脂により形成した。【選択図】  図１
2005325963.tif 000002
【特許請求の範囲】
【請求項１】
給水孔，給湯孔を備えた固定板と、この固定板側に開口した混合室が内部に形成された可動板とからなる弁機構がケースの内部に内装され、前記可動板にはスライダーが嵌合され、スライダーの他端にはケースの内部に収容されるスライダーガイド内で回転するアームが係合され、このアームの他端に連繋したレバーの操作により、スライダー及びスライダーガイドがケースの内部を摺動すると共に、可動板が固定板上で摺動されて湯水の流量と温度とが調節される混合水栓において、前記ケースとスライダー、又はスライダーガイドの一方をポリアセタール（ＰＯＭ）樹脂により形成し、他方をポリブチレン（ＰＢＴ）樹脂により形成したことを特徴とする混合水栓。
【請求項２】
前記ケースとスライダーとをポリアセタール（ＰＯＭ）樹脂により形成し、スライダーガイドをポリブチレン（ＰＢＴ）樹脂により形成したことを特徴とする請求項１記載の混合水栓。
【発明の詳細な説明】
【技術分野】
【０００１】
この発明は、湯水の流量と温度とをレバーの操作で調節するシングルレバー式の混合水栓に関する。
【背景技術】
【０００２】
一般にこの種のシングルレバー式の混合水栓においては、水栓本体には混合水栓の外部に配置された給水管，給湯管とそれぞれ連通する給水通路，給湯通路と、湯水の外部への吐水のための吐水通路とが形成されている。水栓本体の上部には略円筒形状のケースが装着され、ケースの内部には給水孔，給湯孔が穿設された固定板と、混合室が形成された可動板とが互いに上下に重ね合わせた状態で収容されている。そして、給水通路，給湯通路は、ケースに穿設された水孔，湯孔を介して固定板に穿設された給水孔，給湯孔とそれぞれ連通し、可動板と連繋したレバーの操作により可動板を固定板に対して相対移動させることにより、給水通路から供給される水と給湯通路から供給される湯との流量及び温度が調節され、その調節された湯水が吐水通路を介して外部へ吐出されるようになっている。
【０００３】
そして、特許文献１の混合水栓では、ケースの内部にレバーの直線運動及び回転運動を支えるスライダーガイドが設けられており、このスライダーガイドはレバーと一体となって摺動する。スライダーガイドは可動板の上部に嵌合したスライダーの上面を摺動するが、ケースとスライダーとスライダーガイドとは何れもポリアセタール（ＰＯＭ）樹脂で形成され、このように互いに摺動する物品が同一の材質であると摺動性が悪く、スライダーガイドが円滑に摺動し、レバーを軽快に操作できるようにするために、スライダーガイドとスライダーとの間及びスライダーガイドとケースとの間にグリスを塗布している。
【０００４】
【特許文献１】特許第３２７２１９８号
【発明の開示】
【発明が解決しようとする課題】
【０００５】
ところが、混合水栓の組立時に、スライダー又はスライダーガイドへグリスを塗布するという作業は手間のかかるものであり、混合水栓の生産性が低下し、製造コストが上昇する要因となっていた。また混合水栓を長期間使用しているとグリスは次第に減少する。グリスが減少するとスライダーガイドの摺動性が低下してしまい、レバーの操作が重くなったり、操作時に異音やきしみ音が発生するという問題があった。
【０００６】
この発明は、このような従来の技術に存在する問題点に着目してなされたものであり、その課題は、湯水の流量と温度とがレバーの操作で調節される混合水栓において、スライダーガイドの摺動性を向上させ、レバーの操作時に異音が発生しないようにすることである。
【課題を解決するための手段】
【０００７】
上記目的を達成するため、請求項１に記載の発明は、給水孔，給湯孔を備えた固定板と、この固定板側に開口した混合室が内部に形成された可動板とからなる弁機構がケースの内部に内装され、前記可動板にはスライダーが嵌合され、スライダーの他端にはケースの内部に収容されるスライダーガイド内でピンを支点に回転するアームが係合され、このアームの他端に連繋したレバーの操作により、スライダーガイドがケースの内部を摺動すると共に、可動板が固定板上で摺動されて混合水の吐水量と温度とが調節される混合水栓において、前記ケースとスライダー、又はスライダーガイドの一方をポリアセタール（ＰＯＭ）樹脂により形成し、他方をポリブチレン（ＰＢＴ）樹脂により形成したものである。
【０００８】
請求項２では請求項１記載の発明による混合水栓において、前記ケースとスライダーとをポリアセタール（ＰＯＭ）樹脂により形成し、スライダーガイドをポリブチレン（ＰＢＴ）樹脂により形成したものである。
【発明の効果】
【０００９】
本発明では、スライダー又はスライダーガイドにグリスを塗布しなくても、長期間に渡ってレバーを軽快に操作することができ、操作時に異音やきしみ音が発生しない。
【発明を実施するための最良の形態】
【００１０】
以下、本発明の実施例を図に基づいて詳細に説明する。
【実施例１】
【００１１】
図１及び図２に示すように、洗面台や流し台等のカウンター１に取り付けられる混合水栓Ａはシングルレバー式であり、略円筒状の水栓本体２と、この水栓本体２の上部に配置され、湯水の流量と温度とを調節するための弁機構４が収容されるケース３と、水栓本体２の外周面に外嵌され、弁機構４で調節された湯水が吐水される吐水管５と、前記ケース３を水栓本体２の上部に固定するための固定ナット６と、弁機構４と連繋し吐水管５から吐水される湯水の流量及び温度を調節するためのレバー７とを備えている。
【００１２】
前記水栓本体２は略円筒状に形成され、下部底面には螺子軸８が固定されている。そして、混合水栓Ａをカウンター１に穿設された取付孔１ａの上部に配置した状態で、取付孔１ａに上部から貫通した螺子軸８に対し、カウンター１の下部から座金９を挿通し、固定部材１０を螺子軸８に螺着することで、水栓本体２と座金９とによりカウンター１を挟着し、混合水栓Ａはカウンター１に取り付けられるものである。また、図３に示すように水栓本体２の上面には前記ケース３が装着される支持部１１が形成され、この支持部１１には円形で同一外径の給水通路１２，給湯通路１３が隣接して穿設され、さらに両通路１２，１３より大径の円形で吐水管５と連通する吐出通路１４が穿設されている。そして、水栓本体２の上部外周面には雄ねじ１５が形成されており、この雄ねじ１５には前記固定ナット６の内周面に形成された雌ねじ６ａが螺合され、ケース３は水栓本体２の支持部１１に固定されるものである。
【００１３】
図４及び図５に示すように、前記ケース３はポリアセタール（ＰＯＭ）樹脂で形成された下ケース１６と上ケース１７とからなり、ケース３の内部には弁機構４が収容され、下ケース１６と上ケース１７とは弁機構４が収容された状態で上下に着脱自在に結合される。弁機構４は、略円盤状でセラミック製の固定板１８と、この固定板１８と同一材質からなる可動板１９とを上下に水密的に重ね合わせて構成される。
【００１４】
図５及び図６に示すように、固定板１８は両面に貫通する略円弧状の給水孔２０，給湯孔２１，及び略扇形状の吐出孔２２が穿設され、この給水孔２０は下ケース１６の水孔２３に、給湯孔２１は湯孔２４に、吐出孔２２は混合孔２５にそれぞれ連通するように対応させている。
【００１５】
前記可動板１９は固定板１８と比較してひと回り外径が小さく、底面側の摺接面２６を固定板１８の上面に重ね合わせて摺動させることで、前記給水孔２０又は給湯孔２１のどちらか一方、或いは両方と連通して、水，湯を前記吐出孔２２へ供給する混合室２７が両面に貫通して形成され、この混合室２７には通過する水，湯の通水音を低減するための網２８を介在させている。前記可動板１９の混合室２７には上方からパッキン２９を介して円盤型のスライダー３０が水密的に嵌合され、このスライダー３０の上部には軸心より前後方向に偏心させた位置に上面を開口した軸受部３１が形成され、この軸受部３１にはアーム３２が係合されている。
【００１６】
図５に示すように、前記上ケース１７の内部には、アーム３２を支持しスライダー３０の上面を摺動するスライダーガイド３３が収容されている。スライダーガイド３３は前記スライダー３０に上方から嵌合させて、中央に開口した挿通孔３４内でピン３５を支点にアーム３２を揺動自在に挟着し、このアーム３２はピン３５を挿通する挿孔３６から下部をくの字形に折曲した折曲部３７の先端の突部３８が前記軸受部３１に係合し、このアーム３２の上部先端に結合されたレバー７の左右回動方向及び上下方向の操作によって、前記スライダー３０の軸受部３１に係合した突部３８を支点として可動板１９が固定板１８上を直線方向又は回転方向に摺動することで、吐水管５から吐水される湯水の温度及び流量が調節される。このスライダー３０を介して可動板１９は前後に移動し、湯水の温度を調節するアーム３２の回転運動時にはスライダー３０はアーム３２と共に回転し、スライダー３０を介して可動板１９は回転する。スライダーガイド３３は環状に形成されたフランジ部３３ａにリング状のスリップワッシャ３９が組み込まれるものであり、このスリップワッシャ３９はスライダーガイド３３のフランジ部３３ａと，上ケース１７の内部に形成された天井面１７ａとの間に挟まれ、スライダーガイド３３は上ケース１７と上下に接触することなく回転可能である。
【００１７】
ここで、ケース３とスライダー３０とスライダーガイド３３とは合成樹脂製で、ケース３とスライダー３０、又はスライダーガイド３３の一方をポリアセタール（ＰＯＭ）樹脂で形成し、他方はポリブチレン（ＰＢＴ）樹脂で形成する。このようにケース３とスライダー３０とスライダーガイド３３とは合成樹脂の材質を選定し、何れもポリアセタール（ＰＯＭ）樹脂又はポリブチレン（ＰＢＴ）樹脂のように同一材質とする場合と比較して互いに摺動する物品を異材質とすることで、長期間にわたって摺動性が維持され、レバー７の操作時に異音やきしみ音が発生するのを防止することができる。なお、この場合、ケース３とスライダー３０とをポリアセタール（ＰＯＭ）樹脂で形成し、スライダーガイド３３をポリブチレン（ＰＢＴ）樹脂で形成する場合と、ケース３とスライダー３０とをポリブチレン（ＰＢＴ）樹脂で形成し、スライダーガイド３３をポリアセタール（ＰＯＭ）樹脂で形成する場合とが考えられるが、一般的にケース３とスライダー３０とスライダーガイド３３とはポリアセタール（ＰＯＭ）樹脂で形成されているため、スライダーガイド３３をポリブチレン（ＰＢＴ）樹脂で形成するように変更すれば、既存の混合水栓に対しケース３とスライダー３０とはそのまま変更することなく、スライダーガイド３３の材質を変更するのみでよく、既存の混合水栓に対してスライダーガイドを変更するのみで、大幅に操作性を向上させることができる。
【００１８】
本発明の混合水栓Ａにおいて、図１は湯水が吐水されない吐水状態である。この状態から図２に示すようにレバー７を上方向に操作したときには、アーム３２を介して可動板１９が直線的に水平移動される。この水平移動により、固定板１８の給水孔２０及び給湯孔
２１に対する可動板１９の混合室２７の開口面積が変更されて、湯水の吐出流量が調整されるようになっている。したがって固定板１８と可動板１９とにより流体としての水及び湯の流量が制御される。レバー７を正面から横方向へ回動操作したときには、アーム３２を介して可動板１９が水平方向へ回動される。この水平方向への回動により、固定板１８の給水孔２０及び給湯孔２１に対する混合室２７の開口面積が変更されて、水と湯との混合比が調節される。
【００１９】
本発明の混合水栓では、レバーを上下方向に操作すると、スライダーを介して可動板が移動する。この時、スライダーガイドはケースの内部でスライダーの上面を摺動するが、例えばスライダーガイドはポリブチレン（ＰＢＴ）樹脂で形成し、スライダーはポリアセタール（ＰＯＭ）樹脂で形成し、互いに異なる材質で形成されているため、スライダーとスライダーガイドとを何れも同一材質で形成した場合と比較して摺動性が向上し、レバーを軽快に操作することができ、操作時に異音やきしみ音発生が発生するのを防止することができる。
【００２０】
次に、レバーを左右方向に操作すると、スライダーガイドは上ケースの内周面に摺接しながら回転する。この場合、例えばスライダーガイドはポリブチレン（ＰＢＴ）樹脂で形成し、上ケースはポリアセタール（ＰＯＭ）樹脂で形成し、互いに異なる材質で形成されているため、スライダーガイドと上ケースとを同材質で形成した場合と比較して摺動性が向上し、レバーを軽快に操作することができ、操作時に異音やきしみ音の発生を防止することができる。
【図面の簡単な説明】
【００２１】
【図１】本発明の混合水栓をカウンターに取り付けた状態の縦断面図で、止水状態である。
【図２】本発明の混合水栓をカウンターに取り付けた状態の縦断面図で、吐水状態である。
【図３】混合水栓の支持部を表す斜視図である。
【図４】混合水栓のケースの外観斜視図である。
【図５】ケース及び弁機構の分解斜視図である
【図６】固定板と可動板との斜視図である。
【符号の説明】
【００２２】
３    ：ケース
４    ：弁機構
７    ：レバー
１８  ：固定板
１９  ：可動板
２０  ：給水孔
２１  ：給湯孔
２７  ：混合室
３０  ：スライダー
３２  ：アーム
３３  ：スライダーガイド
Ａ    ：混合水栓
【図１】
2005325963.tif 000003
【図２】
2005325963.tif 000004
【図３】
2005325963.tif 000005
【図４】
2005325963.tif 000006
【図５】
2005325963.tif 000007
【図６】
2005325963.tif 000008